(57)【要約】【課題】発光の一様性を増大する。【解決手段】キャビティ１０２、蛍光材料１０６、排気ガス１０４、少なくとも１つの第１の電極対１０８、および、少なくとも１つの第２の電極対１１０を有する冷陰極蛍光フラットランプ（ＣＣＦＦＬ）１００が提供される。キャビティは、第１の内壁と、第１の内壁に対向する第２の内壁、または、キャビティの外壁に配置された第２の内壁とを備えている。蛍光材料がキャビティの内壁の上方に配置され、排気ガスがキャビティの内部に配置されている。第１および第２の電極対が第１および第２の内壁の上方にそれぞれ配置され、第１および第２の電極対の各々が、第１の発光エリア１４０と第２の発光エリア１５０とをそれぞれ備えている。第１の電極対および第２の電極対がキャビティの外側であっても良い。第１の発光エリアと第２の発光エリアとは完全に重ならず、それ故に、中間の非照明エリア１６０が補償されても良い。従って、冷陰極蛍光フラットランプ（ＣＣＦＦＬ）の発光の一様性が増大される。【選択図】      図１
2005302687.tif 000002
【特許請求の範囲】
【請求項１】
第１の内壁、および該第１の内壁に対向する第２の内壁を備えるキャビティと、
前記キャビティにおける前記第１の内壁および／または前記第２の内壁の上方に配置された蛍光材料と、
前記キャビティの内部に配置された排気ガスと、
前記第１の内壁および／または前記キャビティの外壁の上方に配置され、それぞれが第１のアノードおよび第１のカソードからなり、それぞれの前記第１のアノードと前記第１のカソードとの間に第１の発光エリアが構成された複数の第１の電極対と、
前記第２の内壁および／または前記キャビティの前記外壁の上方に配置され、それぞれが第２のアノードおよび第２のカソードからなり、それぞれの前記第２のアノードと前記第２のカソードとの間に第２の発光エリアが構成された複数の第２の電極対とを有することを特徴とする冷陰極蛍光フラットランプ（ＣＣＦＦＬ）装置。
【請求項２】
請求項１記載の装置において、
前記キャビティが、第１の基板と、
前記第１の基板の上方に配置された第２の基板と、
前記第１の基板と前記第２の基板との間に配置され、前記第１の基板の端部と前記第２の基板の端部とに接続された横棒とを有することを特徴とする冷陰極蛍光フラットランプ（ＣＣＦＦＬ）装置。
【請求項３】
請求項２記載の装置において、
前記第１の電極対が前記第１の基板の上方に配置され、前記第２の電極対が前記第２の基板の上方に配置されていることを特徴とする冷陰極蛍光フラットランプ（ＣＣＦＦＬ）装置。
【請求項４】
請求項１記載の装置において、
前記第１の発光エリアの一部が前記第２の発光エリアと重ならず、または、前記第２の発光エリアの一部が前記第１の発光エリアと重ならないことを特徴とする冷陰極蛍光フラットランプ（ＣＣＦＦＬ）装置。
【請求項５】
請求項１記載の装置において、
前記第１の発光エリアの全てが前記第２の発光エリアの全てと完全に重ならないことを特徴とする冷陰極蛍光フラットランプ（ＣＣＦＦＬ）装置。
【請求項６】
請求項１記載の装置において、
前記第１の内壁または前記外壁の上方における前記第１のアノードと前記第１のカソードとは、アノード、カソード、カソード、アノードの順に連続して配列されていることを特徴とする冷陰極蛍光フラットランプ（ＣＣＦＦＬ）装置。
【請求項７】
請求項１記載の装置において、
前記第２の内壁または前記外壁の上方における前記第２のアノードと前記第２のカソードとは、アノード、カソード、カソード、アノードの順に連続して配列されていることを特徴とする冷陰極蛍光フラットランプ（ＣＣＦＦＬ）装置。
【請求項８】
請求項１記載の装置において、
前記第１のアノードのそれぞれ、前記第１のカソードのそれぞれ、前記第２のアノードのそれぞれ、前記第２のカソードのそれぞれが、複数の突起を備えていることを特徴とする冷陰極蛍光フラットランプ（ＣＣＦＦＬ）装置。
【請求項９】
冷陰極蛍光フラットランプ（ＣＣＦＦＬ）装置の駆動方法であって、
複数の第１の発光エリアと複数の第２の発光エリアとを交互に生成し、
前記第１の発光エリアと前記第２の発光エリアとが完全に重ならず、
前記第１の発光エリアと前記第２の発光エリアとを交互に生成する周波数が、肉眼で分離要素として眺められ得る範囲より高いことを特徴とする冷陰極蛍光フラットランプ（ＣＣＦＦＬ）装置の駆動方法。
【請求項１０】
請求項９記載の駆動方法において、
前記第１の発光エリアと前記第２の発光エリアとを交互に生成する周波数が１６Ｈｚであることを特徴とする冷陰極蛍光フラットランプ（ＣＣＦＦＬ）装置の駆動方法。
【請求項１１】
冷陰極蛍光フラットランプ（ＣＣＦＦＬ）装置の駆動方法であって、
複数の第１の発光エリアと複数の第２の発光エリアとを交互に生成し、
前記第１の発光エリアの一部が前記第２の発光エリアと重ならず、または、前記第２の発光エリアの一部が前記第１の発光エリアと重ならず、
前記第１の発光エリアと前記第２の発光エリアとを交互に生成する周波数が、肉眼で分離要素として眺められ得る範囲より高いことを特徴とする冷陰極蛍光フラットランプ（ＣＣＦＦＬ）装置の駆動方法。
【請求項１２】
請求項１１記載の駆動方法において、
前記第１の発光エリアと前記第２の発光エリアとを交互に生成する周波数が１６Ｈｚであることを特徴とする冷陰極蛍光フラットランプ（ＣＣＦＦＬ）装置の駆動方法。
【請求項１３】
キャビティと、
前記キャビティの内部に配置された排気ガスと、
前記キャビティの内壁の上方に配置された蛍光材料と、
前記内壁または前記キャビティの外壁の上方に配置された複数の電極対とを備え、
前記電極対のそれぞれが、複数の第１の突起と、該第１の突起に対向にする複数の第２の突起とを備え、前記第１の突起と前記第２の突起とが整列されていなことを特徴とする冷陰極蛍光フラットランプ（ＣＣＦＦＬ）装置。
【請求項１４】
請求項１３記載の装置において、
前記第１の突起と前記第２の突起とが等距離で配列され、前記第１の突起の間隔が前記第２の突起の間隔と等しいことを特徴とする冷陰極蛍光フラットランプ（ＣＣＦＦＬ）装置。
【請求項１５】
請求項１３記載の装置において、
前記第１の突起のそれぞれが、２つの連続する第２の突起の中間点に整列されていることを特徴とする冷陰極蛍光フラットランプ（ＣＣＦＦＬ）装置。
【請求項１６】
請求項１３記載の装置において、
前記キャビティが、第１の基板と、
前記第１の基板の上方に配置された第２の基板と、
前記第１の基板と前記第２の基板との間に配置され、前記第１の基板の端部および前記第２の基板の端部に接続された横棒とを有することを特徴とする冷陰極蛍光フラットランプ（ＣＣＦＦＬ）装置。
【発明の詳細な説明】
【技術分野】
【０００１】
本発明は一般に冷陰極蛍光フラットランプ（ＣＣＦＥＬ）に関する。さらに詳細には、本発明は、大きくて均一な発光エリアを有する冷陰極蛍光フラットランプ（ＣＣＦＥＬ）に関する。
【背景技術】
【０００２】
最近、電子技術の発展が進むにつれ、携帯電話、デジタルカメラ、デジタルビデオカメラ、ノートブック型またはディスクトップ型コンピュータなどのような電子装置が、もっと便利で多機能な美しい形状をもつように、開発されている。特に、携帯電話、デジタルカメラ、デジタルビデオカメラ、ノートブック型またはディスクトップ型コンピュータのディスプレイ装置は、装置とユーザとの間でのコミュニケーションにとって必要不可欠で重要なインタフェースであり、さらに便利で多機能をもつように改良されている。最近、液晶ディスプレイパネル（ＬＣＤパネル）は、上述の電子装置の中でディスプレイ装置の大きな流れとなっている。しかしながら、液晶ディスプレイパネルは自己発光体ではないので、バックライトモジュールがＬＣＤパネルの下に光源として採用されている。
【０００３】
一般に、従来のバックライトモジュールにはランプ管、リフレクタホルダ、および光導波路プレート（ＧＰＬ）が含まれる。光導波路プレートは、ランプ管で放射される線形光源を面光源に変換できる。従来ではランプ管は光導波路プレートの一側に配置され、それ故に光導波路プレートで変換される面光源の一様性は十分に開発されていない。従って、拡散膜、光強化膜または光強化層などのように、複数の光学膜または光学層が光導波路プレートの右出口平面に配置される。しかしながら、光導波路プレートと光学膜または光学層とが高価であるので、バックライトモジュールのコストが増大される。加えて、ランプ管、リフレクタホルダ、および光導波路プレートが分離要素であるので、ランプ管、リフレクタホルダ、および光導波路プレートを装填し搭載するためにグルートリムが必要とされる。要するに、従来のバックライトモジュールの製造は複雑であり、製造コストが高い。
【０００４】
従って、冷陰極蛍光ランプ（ＣＣＦＦＬ）が最近開発されている。一般に、冷陰極蛍光ランプ（ＣＣＦＦＬ）は、ランプ管で発生される従来の光源よりも発光効率および一様性の点で優れており、大エリア用の面光源として提供されても良い。それ故に、冷陰極蛍光フラットランプ（ＣＣＦＦＬ）は、液晶ディスプレイパネルのバックライトモジュールと他の応用とにおいて広く使用されている。
【０００５】
なお、冷陰極蛍光ランプ（ＣＣＦＦＬ）はプラズマ発光要素であり、そのプラズマは、キャビティのカソードで放射される電子と不活性ガスとの衝突により生成される電離ガスによって形成される。その後に、紫外線光が、励起状態から基底状態へプラズマの励起ガス原子を遷移することによって放射される。次に、放射された紫外線光が、キャビティの内壁に被覆された蛍光材料をさらに励起して、可視光線を生成する。
【０００６】
最近、冷陰極蛍光フラットランプ（ＣＣＦＦＬ）の駆動方法は、制御可能な局部放電方法によって一般に実行されている。たとえば、複数の突起が電極上に配置されて、先端放電が電極の突起上で発生される。従って、冷陰極蛍光フラットランプ（ＣＣＦＦＬ）の大きなエリアが、たとえば、様々な点ランプによって構成される。
【発明の開示】
【発明が解決しようとする課題】
【０００７】
しかしながら、局部放電方法では、冷陰極蛍光フラットランプ（ＣＣＦＦＬ）の光強度は一様ではない。たとえば、突起近くの光強度は突起から離れた光強度より大きく、交互に明暗を有する光源規則パターンが生成される。こうして、冷陰極蛍光フラットランプ（ＣＣＦＦＬ）の全体的な発光の一様性が減少される。
【０００８】
従って、本発明は冷陰極蛍光フラットランプ（ＣＣＦＦＬ）に向けられて発光の一様性（均一性）を増大するようにする。
【０００９】
加えて、本発明は冷陰極蛍光フラットランプ（ＣＣＦＦＬ）の駆動方法に向けられて冷陰極蛍光フラットランプ（ＣＣＦＦＬ）の発光の一様性を増大するようにする。
【００１０】
さらに、本発明は、電極間に大きな放電エリアを有する冷陰極蛍光フラットランプ（ＣＣＦＦＬ）に向けられている。従って、冷陰極蛍光フラットランプ（ＣＣＦＦＬ）の発光エリアもまた増大され、冷陰極蛍光フラットランプ（ＣＣＦＦＬ）の全体的な発光の一様性が増大される。
【課題を解決するための手段】
【００１１】
本発明は、たとえば、キャビティ、蛍光材料、排気ガス、少なくとも１つの第１の電極対、および、少なくとも１つの第２の電極対を備えるが、これらに限定されない冷陰極蛍光フラットランプ（ＣＣＦＦＬ）を提供する。キャビティは、たとえば、第１の内壁と、第１の内壁に対向する第２の内壁、または、キャビティの外壁に配置された第２の内壁とを有するが、それらに限定されない。蛍光材料はキャビティの内壁の上方に配置され、内壁は第１の内壁および／または第２の内壁からなる。排気ガスはキャビティの内部に配置されている。第１の電極対は第１の内壁の上方に配置され、または、キャビティの外壁の上方に配置されても良い。第１の電極対のそれぞれは第１のアノードと第１のカソードとからなり、第１の発光エリアは第１のアノードと第１のカソードとの間で生成される。第２の電極対は第２の内壁の上方に配置され、または、キャビティの外壁の上方に配置されても良い。第２の電極対のそれぞれは第２のアノードと第２のカソードとからなり、第２の発光エリアは第２のアノードと第２のカソードとの間で生成される。
【００１２】
本発明の一態様では、キャビティは第１の基板、第２の基板、および横棒からなる。第２の基板は第１の基板の上方に配置され、横棒は、第１の基板と第２の基板との間に配置され、第１の基板の端部および第２の基板の端部に接続されている。
【００１３】
本発明の一態様では、第１の発光エリアの一部が第２の発光エリアと重ならず、または、第２の発光エリアの一部が第１の発光エリアと重ならない。本発明の他の態様では、第１の発光エリアの全てが第２の発光エリアの全てと完全に重ならない。
【００１４】
本発明の一態様では、第１のアノードと、第１の内壁の上方の第１のカソードとは、アノード、カソード、カソード、アノードの順に連続して配列されている。本発明の他の態様では、第２のアノードと、第２の内壁の上方の第２のカソードとは、アノード、カソード、カソード、アノードの順に連続して配列されている。
【００１５】
本発明の一態様では、第１のアノードのそれぞれ、第１のカソードのそれぞれ、第２のアノードのそれぞれ、または、第２のカソードのそれぞれは複数の突起を有する。
【００１６】
加えて、本発明は、冷陰極蛍光フラットランプ（ＣＣＦＦＬ）の発光の一様性を向上させるために、冷陰極蛍光フラットランプ（ＣＣＦＦＬ）の駆動方法を提供する。この方法は、たとえば次の工程からなるが、それに限定されない。最初に、複数の第１の発光エリアと複数の第２の発光エリアとが冷陰極蛍光フラットランプ（ＣＣＦＦＬ）によって交互に生成される。なお、第１の発光エリアと第２の発光エリアとは完全に重ならず、第１の発光エリアおよび第２の発光エリアを交互に生成する周波数は、肉眼で分離要素として眺められ得る範囲よりも高い。
【００１７】
本発明の一態様では、第１の発光エリアと第２の発光エリアとを交互に生成する周波数が１６Ｈｚである。
【００１８】
加えて、本発明は、冷陰極蛍光フラットランプ（ＣＣＦＦＬ）の発光の一様性を向上させるために、冷陰極蛍光フラットランプ（ＣＣＦＦＬ）の駆動方法を提供する。この方法は、たとえば次の工程からなるが、それに限定されない。最初に、複数の第１の発光エリアと複数の第２の発光エリアとが冷陰極蛍光フラットランプ（ＣＣＦＦＬ）によって交互に生成される。なお、第１の発光エリアの一部が第２の発光エリアと重ならず、または、第２の発光エリアの一部が第１の発光エリアと重ならない。さらに、第１の発光エリアと第２の発光エリアとを交互に生成する周波数は、肉眼で分離要素として眺められ得る範囲より高い。
【００１９】
本発明の一態様では、第１の発光エリアと第２の発光エリアとを交互に生成する周波数は１６Ｈｚである。
【００２０】
さらに、本発明は、たとえば、キャビティ、排気ガス、蛍光材料、および、少なくとも１つの電極対を備えるが、それらに限定されない冷陰極蛍光フラットランプ（ＣＣＦＦＬ）を提供する。排気ガスはキャビティの内部に配置され、蛍光材料はキャビティの内壁の上方に配置されている。電極対はキャビティの内壁の上方に配置され、または、キャビティの外壁の上方に配置されても良い。なお、電極対のそれぞれは、複数の第１の突起と、第１の突起に対向して配置された複数の第２の突起とを有し、第１の突起と第２の突起とは整列されていない。
【００２１】
本発明の一態様では、第１の突起と第２の突起とは等距離で配列され、第１の突起の間隔と第２の突起の間隔とは等しい。
【００２２】
本発明の一態様では、第１の突起のそれぞれは、２つの隣接する第２の突起の中間点に配列されている。
【００２３】
本発明の一態様では、たとえば、キャビティは、第１の基板、第２の基板、および、横棒からなる。第２の基板は第１の基板の上方に配置され、横棒は、第１の基板と第２の基板との間に配置され、第１の基板の端部および第２の基板の端部に接続されている。
【００２４】
従って、複数の不整列発光エリアは、本発明の冷陰極蛍光フラットランプ（ＣＣＦＦＬ）内に配置され、発光エリアは交互に迅速に駆動される。それ故に、冷陰極蛍光フラットランプ（ＣＣＦＦＬ）は、眼の永続的な映像のため大きなエリアの面光源として提供されても良い。よって、冷陰極蛍光フラットランプ（ＣＣＦＦＬ）の従来の駆動方法で生成される様々な明暗エリアを有する光源パターンは減少される。
【００２５】
加えて、複数の突起は、本発明の冷陰極蛍光フラットランプ（ＣＣＦＦＬ）の電極の上方に配置されても良い。本発明では、１つの電極における各突起は、同じ電極対の電極上で他の２つの対応する隣接突起にそれぞれ放電する。従って、本発明の冷陰極蛍光フラットランプ（ＣＣＦＦＬ）の電極間の放電エリアは、従来の冷陰極蛍光フラットランプ（ＣＣＦＦＬ）の放電エリアよりも大きい。それ故に、本発明の冷陰極蛍光フラットランプ（ＣＣＦＦＬ）のそれぞれの電極対は、従来のものよりも大きな発光エリアを有する。よって、本発明の冷陰極蛍光フラットランプ（ＣＣＦＦＬ）の全体的な発光の一様性は増大される。
【００２６】
上述の一般的な記載と以下の詳細な記載とは、典型的なものであり、特許請求の範囲で記載されているような発明のさらなる説明を提供しようとするものである。
【発明を実施するための最良の形態】
【００２７】
添付図面は、本発明のさらなる理解を提供することもふくまれ、この明細書の一部に組み込まれ、その一部を構成する。以下の図面は、説明とともに発明の実施の形態を示し、本発明の原理を説明するのに役立つものである。
【００２８】
以下、添付図面を参照して本発明がもっと十分に記述され、添付図面では発明の好適な実施の形態が示されている。しかしながら、本発明は、多くの異なる形態で具体化され、ここにおいて詳述される実施の形態に限定されるように構成されるべきではない。もっと適切に言えば、この実施の形態の開示が、十分かつ完全であり、当業者にとって本発明の特許請求の範囲を十分に伝達するように、実施の形態は提供される。あらゆる点で類似の符号は類似の要素に関する。
【００２９】
本発明は、冷陰極蛍光フラットランプ（ＣＣＦＦＬ）の電極配置とその配列方法とに関する。加えて、本発明は、冷陰極蛍光フラットランプ（ＣＣＦＦＬ）の駆動方法に関し、冷陰極蛍光フラットランプ（ＣＣＦＦＬ）の発光の一様性を高める。以下、本発明の冷陰極蛍光フラットランプ（ＣＣＦＦＬ）の駆動方法と、冷陰極蛍光フラットランプ（ＣＣＦＦＬ）の電極の構成とを記述するために、様々な実施の形態が提供される。しかしながら、その実施の形態は、ほんの一例を示し、本発明における特許請求の範囲を限定するのに使用されるべきものではない。
【００３０】
図１は、本発明の一実施の形態による冷陰極蛍光フラットランプ（ＣＣＦＦＬ）を示す断面図であり、図１の「＋」および「−」は電極の極性を表し、たとえば、「＋」はアノードを表し、「−」はカソードを表す。
【００３１】
図１を参照して、冷陰極蛍光フラットランプ（ＣＣＦＦＬ）１００は、たとえば、キャビティ１０２、排気ガス１０４、蛍光材料１０６、第１の電極対１０８、および、第２の電極対１１０から成るが、それらに限定されない。キャビティ１０２は、第１の内壁と、第１の内壁に対向する第２の内壁とを有する。本実施の形態では、キャビティ１０２は、たとえば、第１の基板１１２と、第１の基板１１２の上方に配置された第２の基板１１４と、第１の基板１１２および第２の基板１１４の各端部に連結された横棒１１６とから成るが、それらに限定されない。従って、この実施の形態では、第１の内壁が第１の基板１１２であっても良いし、第２の内壁が第２の基板１１４であっても良い。
【００３２】
蛍光材料１０６は、たとえば、第１の基板１１２および／または第２の基板１１４の上方に配置されたキャビティ１０２の内壁の上方に配置されているが、それに限定されない。排気ガス１０４は、キャビティ１０２の内部に置かれ、たとえば、キセノン（Ｘｅ）、ネオン（Ｎｅ）、アルゴン（Ａｒ）、またはその混合ガスなどのような不活性ガスから成るが、それらのガスに限定されない。
【００３３】
第１の電極対１０８は、たとえば、第１の基板１１２の上方でキャビティ１０２の第１の内壁の上方に配置されているが、それに限定されない。たとえば、第１の電極対１０８のそれぞれは、第１のアノード１２０（図１の「＋」で表示）と、第１のカソード１３０（図１の「−」で表示）とを備える。本発明の一実施の形態では、第１のアノード１２０と第２のカソード１３０とが、図１で示されるように、第１の基板１１２の上方にアノード、カソード、カソード、アノードの順に連続して配列されている。第２の電極対１１０は、たとえば、第２の基板１１４の上方でキャビティ１０２の第２の内壁の上方に配置されているが、それに限定されない。第２の電極対１１０のそれぞれは、第２のアノード１２２および第２のカソード１３２を有しても良い。本発明の一実施の形態では、第２の基板１１４の上方に第２のアノード１２２と第２のカソード１３２とを配列する一連の工程は、上述された第１の基板１１２の上方に第１のアノード１２０と第２のカソード１３０とを配列する一連の工程と類似または同一である。
【００３４】
本発明の冷陰極蛍光フラットランプ（ＣＣＦＦＬ）の発光メカニズムは、電極の放電により駆動される。本発明の一実施の形態では、その発光メカニズムは、図１で示されるように、第１の電極対１０８のそれぞれにおける第１のアノード１２０と第１のカソード１３０との間で第１の発光エリア１４０を発生させ、第２の電極対１１０のそれぞれにおける第２のアノード１２２と第２のカソード１３２との間で第２の発光エリア１５０を発生させる。しかしながら、図１で示されるように、第１の発光エリア１４０の範囲と第２の発光エリアの範囲とは、それらの位置を記述するためだけに図示されている。なお、第１の発光エリア１４０の実際の範囲と、第２の発光エリア１５０の実際の範囲とは、冷陰極蛍光フラットランプ（ＣＣＦＦＬ）の動作パラメータに、たとえば、排気ガス１０４の励起原子数に依存するが、図１によって限定されるものではない。
【００３５】
本発明の一実施の形態では、第１の発光エリア１４０の一部が、第２の発光エリア１５０と重ならない。または、第２の発光エリア１５０の一部が、第１の発光エリア１４０と重ならない。従って、第１の電極対１０８と第２の電極対１１０との間に配置された非照明エリア１６０が補償されても良い。
【００３６】
加えて、本発明の他の実施の形態では、第１の発光エリア１４０と第２の発光エリア１５０とが完全に重ならないわけではない。図２は、本発明の一実施の形態による冷陰極蛍光フラットランプ（ＣＣＦＦＬ）を示す断面図である。図１と比較して、図２で示された電極を配置する位置は異なっている。さらに、図１で示された同一符号を持つ図２の他の要素は、図１と同一または類似の要素、配置場所、および構造を備え、以下では記述しない。
【００３７】
図２を参照すると、冷陰極蛍光フラットランプ（ＣＣＦＦＬ）２００における第１の発光エリア１４０と第２の発光エリア１５０とはキャビティ１０２の上方に交互に配列されている。従って、第１の発光エリア１４０は第２の電極対１１０の間で非照明エリア１６０を完全に補償でき、第２の発光エリア１５０は第１の電極対１０８の間で非照明エリア１６０を完全に補償できる。
【００３８】
上述された２つの実施の形態における第１の発光エリア１４０と第２の発光エリア１５０とを相補的にするために、本発明は、冷陰極蛍光フラットランプ（ＣＣＦＦＬ）の駆動方法を提供する。次に、図１および図２を参照すると、駆動方法において、第１の電極対１０８と第２の電極対１１０とは交互に駆動される。従って、第１の電極対１０８と第２の電極対１１０とは周波数の点で交互に放電される。それ故に、冷陰極蛍光フラットランプ（ＣＣＦＦＬ）１００または冷陰極蛍光フラットランプ（ＣＣＦＦＬ）２００における第１の発光エリア１４０と第２の発光エリア１５０とは交互に発生される。本発明の一実施の形態では、駆動方法において、たとえば、正弦波またはパルス波の波形の電圧は、第１の電極対１０８と第２の電極対１１０とを駆動するために供給されるが、これに限定されない。
【００３９】
なお、第１の電極対１０８および第２の電極対１１０を交互に放電する周波数は、眼で永続的な映像を生成させるために、肉眼で分離要素として見ることが可能な周波数範囲よりも高い。加えて、第１の発光エリア１４０と第２の発光エリア１５０とは最終的には重なり合わないので、非照明エリア１６０は互いに補償されるかも知れない。従って、非照明エリア１６０は肉眼で分離要素として見ることができない。それ故に、従来の冷陰極蛍光フラットランプ（ＣＣＦＦＬ）で生成される様々な明暗エリアを持つ光源パターンと、その駆動方法とを減らすことができる。本発明の一実施の形態では、第１の電極対１０８と第２の電極対１１０とを交互に放電する周波数は、たとえば、１６Ｈｚ以上であるが、それに限定されない。
【００４０】
本発明の他の実施の形態では、冷陰極蛍光フラットランプ（ＣＣＦＦＬ）は複数の突起を備えている。図３は、本発明の一実施の形態による冷陰極蛍光フラットランプ（ＣＣＦＦＬ）の電極対を示す断面図である。図３を参照すると、設定された電極対は、カソード３００とアノード３０２とを備えている。アノード３０２は、たとえば、複数の第１の突起３０４を備えているが、それに限定されない。カソード３００は、第１の突起３０４に対向する複数の第２の突起３０６を備えている。
【００４１】
図３を参照すると、第１の突起３０４と第２の突起３０６とは等距離で配列され、第１の突起の間隔と第２の突起の間隔とは等しい。本発明の一実施の形態では、第１の突起３０４のそれぞれは、第２の突起３０６と整列されていない。本発明の他の実施の形態では、第１の突起３０４のそれぞれは、２つの隣接する第２の突起３０６の中間点でそれぞれ整列されている。
【００４２】
なお、上述の「整列されている」とは、アノード３０２の点Ｐとカソード３００の点Ｑとの接続線Ｌがカソード３００の延長線またはアノード３０２の延長線に垂直である時に、点Ｐが点Ｑに対して整列されていること、または、点Ｑが点Ｐに対して整列されていることを意味する。
【００４３】
電極対が駆動された後に、アノード３０２およびカソード３００が第１の突起３０４と第２の突起３０６との間で放電される。なお、第１の突起３０４のそれぞれが、対応した２つの隣接する第２の突起３０６に放電し、電極対の間の発光エリアが増大される。従って、冷陰極蛍光フラットランプ（ＣＣＦＦＬ）の発光の一様性が増大される。
【００４４】
従って、複数の不整列発光エリアが、本発明の冷陰極蛍光フラットランプ（ＣＣＦＦＬ）内に配置され、発光エリアが交互に迅速に駆動される。それ故に、冷陰極蛍光フラットランプ（ＣＣＦＦＬ）は、眼の永続的な映像により大きなエリアの面光源として提供されても良い。こうして、局部放電により冷陰極蛍光フラットランプ（ＣＣＦＦＬ）の従来の駆動方法で生成された様々な明暗エリアを持つ光源のパターンが効率的に減少される。
【００４５】
加えて、複数の突起が、本発明による冷陰極蛍光フラットランプ（ＣＣＦＦＬ）の電極の上方に配置されても良い。本発明では、１つの電極の各突起が、同じ電極対の電極上で他の２つの対応する隣接した突起にそれぞれ放電する。従って、冷陰極蛍光フラットランプ（ＣＣＦＦＬ）の電極間の放電エリアは、従来の冷陰極蛍光フラットランプ（ＣＣＦＦＬ）の放電エリアより大きい。それ故に、本発明の一実施の形態による冷陰極蛍光フラットランプ（ＣＣＦＦＬ）の電極対のそれぞれが、従来よりも大きな発光エリアを有する。よって、本発明による冷陰極蛍光フラットランプ（ＣＣＦＦＬ）の全体的な発光の一様性は増大される。
【００４６】
本発明の範囲または趣旨から逸脱することなく本発明の構造に対して様々な変更および変形をなし得ることは、当業者にとって明らかである。上述の観点から、本発明は、請求項およびそれの等価物の範囲内であれば、本発明の変更および変形を包含するものである。
【図面の簡単な説明】
【００４７】
【図１】本発明の一実施の形態による冷陰極蛍光フラットランプ（ＣＣＦＦＬ）を示す断面図である。
【図２】本発明の一実施の形態による冷陰極蛍光フラットランプ（ＣＣＦＦＬ）を示す断面図である。
【図３】本発明の一実施の形態による冷陰極蛍光フラットランプ（ＣＣＦＦＬ）の電極対を示す断面図である。
【符号の説明】
【００４８】
１００    冷陰極蛍光フラットランプ（ＣＣＦＦＬ）
１０２    キャビティ
１０４    排気ガス
１０６    蛍光材料
１０８    第１の電極対
１１０    第２の電極対
１１２    第１の基板
１１４    第２の基板
１１６    横棒
１２０    第１のアノード
１２２    第２のアノード
１３０    第１のカソード
１３２    第２のカソード
１４０    第１の発光エリア
１５０    第２の発光エリア
１６０    非照明エリア
３００    カソード
３０２    アノード
３０４    第１の突起
３０６    第２の突起
【図１】
2005302687.tif 000003
【図２】
2005302687.tif 000004
【図３】
2005302687.tif 000005